(57)【特許請求の範囲】
【請求項１】
複数のアンテナを切り替えて送信システムから送信される無線信号を受信するアンテナ切替受信システムにおいて、
前記送信システムから、アンテナ切替タイミング検出用信号、それぞれ異なるアンテナによって受信される複数のテスト信号及び選択されたアンテナで受信されるペイロード信号が、この順に送信され、
前記アンテナ切替タイミング検出用信号は、前記ペイロード信号の伝送速度よりも低い伝送速度で送信され、
前記複数のアンテナのいずれかによって受信した信号に応じて増幅率を自動的に調節し、信号の受信レベルを最適化する自動利得制御部を備え、
前記送信システムからペイロード信号を受信する前に、いずれかのアンテナで前記送信システムからアンテナ切替タイミング検出用信号を受信し、前記アンテナ切替タイミング検出用信号とあらかじめ記憶されているレファレンス信号とを比較して一致度が所定の閾値以上の場合に、前記アンテナ切替タイミング検出用信号を検出したと判断し、前記アンテナ切替タイミング検出用信号を検出したと判断した場合に、それぞれのアンテナで前記送信システムからテスト信号を受信して、前記自動利得制御部による該テスト信号の増幅率に基づいて前記ペイロード信号を受信するアンテナを選択することを特徴とするアンテナ切替受信システム。
【請求項２】
各アンテナ毎に前記自動利得制御部の増幅率を検出し、その平均値を算出する平均値算出部を備え、前記平均値算出部によって各アンテナ毎に算出された増幅率の平均値に基づいて、ペイロード信号を受信するアンテナを選択することを特徴とする請求項１に記載のアンテナ切替受信システム。
【請求項３】
前記アンテナの切り替え時において、ペイロード信号を受信するアンテナを選択判断するにあたり、切り替え当初の所定期間の前記自動利得制御部の増幅率は考慮しないことを特徴とする請求項１又は請求項２に記載のアンテナ切替受信システム。
【請求項４】
前記アンテナの切り替え時において、切り替え当初の所定期間は、前記自動利得制御部から増幅率の出力を停止させることを特徴とする請求項１乃至請求項３のいずれか一項に記載のアンテナ切替受信システム。
【請求項５】
前記アンテナの切り替え時において、切り替え当初の所定期間は、前記自動利得制御部の動作を停止させることを特徴とする請求項１乃至請求項４のいずれか一項に記載のアンテナ切替受信システム。
【請求項６】
最後にレベルを検出したアンテナ以外のアンテナで前記ペイロード信号を受信する場合、
前記テスト信号を受信する際における前記自動利得制御部の増幅率を、前記ペイロード信号を受信する際における増幅率の初期値として用いることを特徴とする請求項１乃至請求項５のいずれか一項に記載のアンテナ切替受信システム。
【請求項７】
各アンテナで前記テスト信号を受信する際における前記自動利得制御部の増幅率を記憶する増幅率記憶部をさらに備え、
新たに各アンテナで前記テスト信号を受信する際における前記自動利得制御部の増幅率の初期値として、前記増幅率記憶部に前フレームにおいて検出され記憶された増幅率を用いることを特徴とする請求項１乃至請求項６のいずれか一項に記載のアンテナ切替受信システム。
【請求項８】
以前に受信した複数フレームにおいて検出された増幅率の平均値を算出し記憶する増幅率平均値記憶部をさらに備え、
新たに各アンテナで前記テスト信号を受信する際における前記自動利得制御部の増幅率の初期値として、前記増幅率平均値記憶部に記憶された増幅率の平均値を用いることを特徴とする請求項１乃至請求項６のいずれか一項に記載のアンテナ切替受信システム。
【請求項９】
各アンテナで前記テスト信号を受信する際における前記自動利得制御部の増幅率の変動の割合を算出する増幅率変動算出部をさらに備え、
前記増幅率変動算出部によって算出された増幅率の変動の割合が所定の閾値未満のとき、新たに各アンテナで前記テスト信号を受信する際における前記自動利得制御部の増幅率の初期値として、前記増幅率記憶部に前回記憶された増幅率を用いることを特徴とする請求項７に記載のアンテナ切替受信システム。
【請求項１０】
各アンテナで前記テスト信号を受信する際における前記自動利得制御部の増幅率の変動の割合を算出する増幅率変動算出部をさらに備え、
前記増幅率変動算出部によって算出された増幅率の変動の割合が所定の閾値未満のとき、新たに各アンテナで前記テスト信号を受信する際における前記自動利得制御部の増幅率の初期値として、前記増幅率平均値記憶部に前回記憶された増幅率の平均値を用いることを特徴とする請求項８に記載のアンテナ切替受信システム。
【請求項１１】
前記増幅率変動算出部によって算出された増幅率の変動の割合が所定の閾値以上のとき、新たに各アンテナで前記テスト信号を受信する際における前記自動利得制御部の増幅率の初期値として、所定の値を用いることを特徴とする請求項９又は請求項１０に記載のアンテナ切替受信システム。
【発明の詳細な説明】
【技術分野】
【０００１】
本発明は、無線通信システムにおいてアンテナを切り替えて受信するアンテナ切替受信システムに関する。
【背景技術】
【０００２】
無線通信システムにおいて、マルチパスフェージングによるレベル劣化が課題のひとつとして挙げられる。受信アンテナが受信する信号は、送信アンテナから直接受信アンテナに入力される信号だけではなく、複数の異なる経路を経て入力される信号も存在する。そのため、各々異なる遅延時間を持った信号（マルチパス）も受信アンテナに入力されてしまうため、受信アンテナ端で信号同士が重なり合い、打ち消し合うなどして受信レベルが劣化してしまう。これがマルチパスフェージングによるレベル劣化と称される現象である。
【０００３】
このマルチパスフェージングによるレベル劣化の影響を回避するための代表的な方策として、ＯＦＤＭなどのマルチキャリア伝送技術がある。これは伝送する情報を複数のキャリア（サブキャリア）に分けて広い周波数帯域で伝送するため、マルチパスフェージングによるレベル劣化の影響を低減できるという技術である。しかしながら、ＯＦＤＭ伝送ではフーリエ逆変換及びフーリエ変換により周波数軸と時間軸を変換して処理する複雑な構成が必要となり回路規模が増大してしまうため、低コスト化を図るのが困難であるという欠点があった。
【０００４】
また、複数のアンテナを切り替える「切替ダイバーシチ」、「選択ダイバーシチ」や各アンテナでの受信信号を合成する「合成ダイバーシチ」による対策がある。これらはマルチパスフェージングによる影響は受信器の場所や電波の偏波面などによって異なることを利用した方策である。「選択ダイバーシチ」は、複数のアンテナでの受信レベルを監視しておき、最適なアンテナで信号を受信する技術であるが、アンテナの個数分の受信器が必要となるため回路規模が大きくなるという欠点があった。また、「合成ダイバーシチ」は複数のアンテナで受信した信号の位相を揃えて合成する技術であるが、こちらもアンテナの個数分の受信器及び各信号の位相を合わせる移相器が必要となるため回路規模が大きくなるという欠点があった。
【０００５】
「切替ダイバーシチ」は一方のアンテナでマルチパスフェージングの影響がある場合は、もう一方のアンテナに切り替えることによりマルチパスフェージングの影響を低減するという技術である（例えば、特許文献１参照）。近年、携帯用無線機器の普及により、アンテナ切り替え部も小型化や低コスト化が要求されており、１つの受信機で構成できるため、開発が容易で回路規模が小さく低コスト化が図れる「切替ダイバーシチ」が様々な無線器に搭載されている。
【先行技術文献】
【特許文献】
【０００６】
【特許文献１】特開平０６−３０３２１８号公報
【発明の概要】
【発明が解決しようとする課題】
【０００７】
しかしながら、「切替ダイバーシチ」においては、切り替え先のアンテナでの受信レベルはアンテナを切り替えるまで分からない。そのため、もし切り替え先のアンテナでの受信レベルがさらに低かった場合には、より劣悪な条件で信号を受信しなければならないという欠点がある。
【０００８】
さらに無線ＬＡＮでは、複数のフレーム（ペイロード信号の一塊）を受信し、エラーが複数のフレームに亘って検出された際にアンテナを切り替えるシステム、つまりエラーが発生した後のアンテナ切り替えを基本としている。発生したエラーに対しては再度同じフレームを送信器に送ってもらうことにより対応している（再送機能）。しかしながら、マルチパスフェージングにより通信環境が劣悪な状況では再送回数が増え、音声や映像など高速で次々に新しいペイロード信号を受信する必要がある機器には不向きとなる。
【０００９】
本発明は、簡素な構成で、マルチパスが多い環境下においても正確に受信レベルの高いアンテナを選択することにより、マルチパスフェージングによるレベル変動の影響を低減できるアンテナ切替受信システムを提供することを目的とする。
【課題を解決するための手段】
【００１０】
上記目的を達成するために本発明のアンテナ切替受信システムは、
複数のアンテナを切り替えて送信システムから送信される無線信号を受信するアンテナ切替受信システムにおいて、
前記送信システムから、アンテナ切替タイミング検出用信号、それぞれ異なるアンテナによって受信される複数のテスト信号及び選択されたアンテナで受信されるペイロード信号が、この順に送信され、
前記アンテナ切替タイミング検出用信号は、前記ペイロード信号の伝送速度よりも低い伝送速度で送信され、
前記複数のアンテナのいずれかによって受信した信号に応じて増幅率を自動的に調節し、信号の受信レベルを最適化する自動利得制御部を備え、
前記送信システムからペイロード信号を受信する前に、いずれかのアンテナで前記送信システムからアンテナ切替タイミング検出用信号を受信し、前記アンテナ切替タイミング検出用信号とあらかじめ記憶されているレファレンス信号とを比較して一致度が所定の閾値以上の場合に、前記アンテナ切替タイミング検出用信号を検出したと判断し、前記アンテナ切替タイミング検出用信号を検出したと判断した場合に、それぞれのアンテナで前記送信システムからテスト信号を受信して、前記自動利得制御部による該テスト信号の増幅率に基づいて前記ペイロード信号を受信するアンテナを選択することを特徴とする。
【００１２】
このアンテナ切替受信システムにおいては、各アンテナ毎に前記自動利得制御部の増幅率を検出し、その平均値を算出する平均値算出部を備え、前記平均値算出部によって各アンテナ毎に算出された増幅率の平均値に基づいて、ペイロード信号を受信するアンテナを選択することが好ましい。
【００１３】
このアンテナ切替受信システムにおいては、前記アンテナの切り替え時において、ペイロード信号を受信するアンテナを選択判断するにあたり、切り替え当初の所定期間の前記自動利得制御部の増幅率は考慮しないことが好ましい。
【００１４】
このアンテナ切替受信システムにおいては、前記アンテナの切り替え時において、切り替え当初の所定期間は、前記自動利得制御部から増幅率の出力を停止させることが好ましい。
【００１５】
このアンテナ切替受信システムにおいては、前記アンテナの切り替え時において、切り替え当初の所定期間は、前記自動利得制御部の動作を停止させることが好ましい。
【００１６】
このアンテナ切替受信システムにおいては、最後にレベルを検出したアンテナ以外のアンテナで前記ペイロード信号を受信する場合、前記テスト信号を受信する際における前記自動利得制御部の増幅率を、前記ペイロード信号を受信する際における増幅率の初期値として用いることが好ましい。
【００１７】
このアンテナ切替受信システムにおいては、各アンテナで前記テスト信号を受信する際における前記自動利得制御部の増幅率を記憶する増幅率記憶部をさらに備え、新たに各アンテナで前記テスト信号を受信する際における前記自動利得制御部の増幅率の初期値として、前記増幅率記憶部に前フレームにおいて検出され記憶された増幅率を用いることが好ましい。
【００１８】
このアンテナ切替受信システムにおいては、以前に受信した複数フレームにおいて検出された増幅率の平均値を算出し記憶する平均値記憶部をさらに備え、新たに各アンテナで前記テスト信号を受信する際における前記自動利得制御部の増幅率の初期値として、前記平均値記憶部に記憶された増幅率の平均値を用いることが好ましい。
【００１９】
このアンテナ切替受信システムにおいては、各アンテナで前記テスト信号を受信する際における前記自動利得制御部の増幅率の変動の割合を算出する増幅率変動算出部をさらに備え、前記増幅率変動算出部によって算出された増幅率の変動の割合が所定の閾値未満のとき、新たに各アンテナで前記テスト信号を受信する際における前記自動利得制御部の増幅率の初期値として、前記増幅率記憶部に前回記憶された増幅率を用いることが好ましい。
【００２０】
このアンテナ切替受信システムにおいては、各アンテナで前記テスト信号を受信する際における前記自動利得制御部の増幅率の変動の割合を算出する増幅率変動算出部をさらに備え、前記増幅率変動算出部によって算出された増幅率の変動の割合が所定の閾値未満のとき、新たに各アンテナで前記テスト信号を受信する際における前記自動利得制御部の増幅率の初期値として、前記増幅率平均値記憶部に前回記憶された増幅率の平均値を用いることが好ましい。
【００２１】
このアンテナ切替受信システムにおいては、前記増幅率変動算出部によって算出された増幅率の変動の割合が所定の閾値以上のとき、新たに各アンテナで前記テスト信号を受信する際における前記自動利得制御部の増幅率の初期値として、所定の値を用いることが好ましい。
【発明の効果】
【００２２】
本発明によれば、ペイロード信号を受信する前に、各アンテナでテスト信号を受信してペイロード信号を受信するアンテナを選択するので、簡素な構成でマルチパスフェージングによるレベル変動の影響を低減できる。これにより、マルチパス環境下においてもマルチパスフェージングに起因した受信レベルの劣化によるエラー発生を回避しやすくなる。
【図面の簡単な説明】
【００２３】
【図１】本発明の一実施形態によるアンテナ切替受信システムの概略構成を示すブロック図。
【図２】同アンテナ切替受信システムにおいて、２つのアンテナを用いて受信される信号と、この信号を受信したときの上記アンテナ切替受信システムの動作を示す図。
【図３】同アンテナ切替受信システムの動作を示すフローチャート。
【図４】上記実施形態によるアンテナ切替受信システムの変形例の概略構成を示すブロック図。
【図５】同変形例において、２つのアンテナを用いて受信される信号と、この信号を受信したときの上記アンテナ切替受信システムの動作を示す図。
【図６】同変形例の動作を示すフローチャート。
【図７】上記実施形態によるアンテナ切替受信システムのさらに別な変形例の概略構成を示すブロック図。
【図８】同変形例において、２つのアンテナを用いて受信される信号と、この信号を受信したときの上記アンテナ切替受信システムの動作を示す図。
【図９】同変形例の動作を示すフローチャート。
【図１０】上記実施形態によるアンテナ切替受信システムのさらに別な変形例の概略構成を示すブロック図。
【図１１】同変形例において、２つのアンテナを用いて受信される信号と、この信号を受信したときの上記アンテナ切替受信システムの動作を示す図。
【図１２】同変形例の動作を示すフローチャート。
【図１３】上記実施形態によるアンテナ切替受信システムのさらに別な変形例の概略構成を示すブロック図。
【図１４】同変形例において、２つのアンテナを用いて受信される信号と、この信号を受信したときの上記アンテナ切替受信システムの動作を示す図。
【図１５】同変形例の動作を示すフローチャート。
【図１６】上記実施形態によるアンテナ切替受信システムのさらに別な変形例の概略構成を示すブロック図。
【図１７】同変形例において、２つのアンテナを用いて受信される信号と、この信号を受信したときの上記アンテナ切替受信システムの動作を示す図。
【図１８】同変形例の動作を示すフローチャート。
【図１９】上記実施形態によるアンテナ切替受信システムのさらに別な変形例において、２つのアンテナを用いて受信される信号と、この信号を受信したときの上記アンテナ切替受信システムの動作を示す図。
【図２０】同変形例の動作を示すフローチャート。
【図２１】上記実施形態によるアンテナ切替受信システムのさらに別な変形例の概略構成を示すブロック図。
【図２２】同変形例において、２つのアンテナを用いて受信されるフレームの信号と、この信号を受信したときの上記アンテナ切替受信システムの動作を示す図。
【図２３】同変形例の動作を示すフローチャート。
【図２４】上記実施形態によるアンテナ切替受信システムのさらに別な変形例の概略構成を示すブロック図。
【図２５】同変形例において、２つのアンテナを用いて受信されるフレームの信号と、この信号を受信したときの上記アンテナ切替受信システムの動作を示す図。
【図２６】同変形例の動作を示すフローチャート。
【図２７】上記実施形態によるアンテナ切替受信システムのさらに別な変形例の概略構成を示すブロック図。
【図２８】同変形例において、２つのアンテナを用いて受信されるフレームの信号と、この信号を受信したときの上記アンテナ切替受信システムの動作を示す図。
【図２９】同変形例の動作を示すフローチャート。
【発明を実施するための形態】
【００２４】
（第１実施形態）
本発明の第１実施形態によるアンテナ切替受信システムについて図面を参照して説明する。図１はアンテナ切替受信システムの概略構成を示している。アンテナ切替受信システム１０は、２本のアンテナを有するアンテナ部１１と、アンテナ切替部１２と、アンテナ切替タイミング検出部１３と、アンテナ切替判断部１４等によって構成されている。アンテナ切替部１２は、２本のアンテナからいずれかのアンテナに切り替える。アンテナ切替タイミング検出部１３は、例えば、所定レベル以上の信号を検出することにより、アンテナ切替部１２がアンテナを切り替えるタイミングを検出する。アンテナ切替判断部１４は、アンテナ切替部１２を介していずれかのアンテナで受信した信号の受信レベル等に基づいて、ペイロード信号を受信するアンテナを選択し、その旨の制御信号をアンテナ切替部１２に出力する。以下において、アンテナ切替部１２に接続され、切り替えられるアンテナが２本の場合について説明するが、同アンテナは３本以上であってもよい。
【００２５】
図２は、アンテナ切替受信システム１０において、２つのアンテナ、すなわちアンテナＡ及びアンテナＢを用いて受信される信号と、この信号を受信したときの上記アンテナ切替受信システム１０の動作を示している。特に、当初アンテナＡが選択されており、そのアンテナＡによってテスト信号１を受信する場合の例を示している。また、図３は、第１実施形態のアンテナ切替受信システム１０の動作をフローチャートにて示している。
【００２６】
図２に示した信号は、本実施形態のアンテナ切替受信システム１０に対応する送信システムから送信される。送信システムからは、テスト１信号、テスト２信号及びペイロード信号が送信される。テスト１信号、テスト２信号及びペイロード信号によって１つのフレームが構成される。ペイロード信号の前には、必要に応じてユニークワード信号が送信される。
【００２７】
テスト１信号及びテスト２信号は、ペイロード信号を受信するアンテナを選択するために用いられる。テスト１信号は、当初選択されていたアンテナによって受信され、テスト２信号は、切り替えられたアンテナによって受信される。なお、このテスト信号は、アンテナ切替部１２によって切り替えられるアンテナの本数に応じて適宜追加される。ペイロード信号には、例えばヘッダ及び映像や音声並びに気温などのデータ又は各種の制御信号が含まれる。
【００２８】
図２、３を参照して、第１実施形態のアンテナ切替受信システム１０の動作について説明する。アンテナ切替受信システム１０は、当初待機（＃１）している。アンテナ切替受信システム１０のアンテナ部１１が信号を受信し（＃２）、アンテナ切替タイミング検出部１３が、アンテナ切替タイミングを検出すると（＃３においてＹＥＳ）、アンテナ切替判断部１４が、アンテナＡの受信レベルを検出する（＃４）。ここで受信レベルは、例えば受信信号を自動利得制御回路によって増幅する際の増幅率から検出される。そして、アンテナ切替判断部１４は、アンテナＢに切り替えて（＃５）、アンテナＢの受信レベルを検出する（＃６）。アンテナの切り替えは、アンテナ切替タイミング検出部１３によって検出されたアンテナ切替タイミングに基づいてなされる。その後、アンテナ切替判断部１４は、アンテナＡの受信レベルとアンテナＢの受信レベルを比較する（＃７）。アンテナＡの受信レベルの方が大きいときは（＃８においてＹＥＳ）、アンテナ切替判断部１４は、ペイロード信号を受信するためのアンテナとしてアンテナＡを選択する。すなわち、アンテナ切替判断部１４は、アンテナＡに切り替える制御信号をアンテナ切替部１２に出力し（＃９）、アンテナＡによってペイロード信号を受信する（＃１０）。図２に示す例は、この場合に相当する。アンテナＢの受信レベルの方が大きいときは（＃８においてＮＯ）、ペイロード信号を受信するためのアンテナとしてアンテナＢを選択する。すなわち、アンテナ切替判断部１４は、アンテナＢに固定したまま、アンテナＢによってペイロード信号を受信する（＃１１）。なお、アンテナＡの受信レベルとアンテナＢの受信レベルが同等である場合には、最後にテスト信号を受信したアンテナＢによってペイロード信号を受信する（＃１１）。
【００２９】
本アンテナ切替受信システム１０によれば、ペイロード信号を受信する前に、各アンテナでテスト信号を受信してペイロード信号を受信するアンテナを選択するので、簡素な構成でマルチパスフェージングによるレベル変動の影響を低減できる。これにより、マルチパス環境下においてもマルチパスフェージングに起因した受信レベルの劣化によるエラー発生を回避できる。また、再送回数を減らしてよりリアルタイムに近い伝送を実現することができる。また、再送が不要な場合にあっては、再送機能を無くして、低コスト化及び小型化に貢献することもできる。
【００３０】
（変形例）
図４は上記第１実施形態のアンテナ切替受信システム１０の変形例の概略構成を示している。このアンテナ切替受信システム１０においては、図１のアンテナ切替タイミング検出部１３の一例として相関値算出部１５が適用されている。また、送信システムからは、テスト信号１の前に、特定の並びの信号列によって構成されるアンテナ切替タイミング検出用信号が送信される。アンテナ切替タイミング検出用信号は、テスト１信号及びテスト２信号を受信する際に、使用するアンテナをアンテナＡ又はアンテナＢに切り替える基準となるタイミングを検出するため信号である。アンテナ切替タイミング検出用信号は、ペイロード信号の伝送速度よりも低い伝送速度で送信される。相関値算出部（記憶部）１５は、送信システムから送信されるアンテナ切替タイミング検出用信号と同一の並びの信号列（レファレンス信号）を記憶する。信号列の例としては、01100101011000101・・・などのランダム信号、若しくは相関特性に優れるＭ系列やそれに類する信号列が挙げられる。相関値算出部１５は、記憶している信号列と、受信したアンテナ切替タイミング検出用信号の信号列の相関値を算出する。本変形例においては、相関値算出部１５によって算出された相関値に基づいてアンテナ切替タイミング検出用信号を検出する。
【００３１】
図５は、本変形例のアンテナ切替受信システム１０において、アンテナＡ及びアンテナＢを用いて受信される信号と、この信号を受信したときの上記アンテナ切替受信システム１０の動作を示している。また、図６は、本変形例のアンテナ切替受信システム１０の動作をフローチャートにて示している。本変形例においては、図３に示す＃３の処理に替えて＃１２の処理が実行される。
【００３２】
送信システムからは、アンテナ切替タイミング検出用信号、テスト１信号、テスト２信号及びペイロード信号が送信される。１フレームを構成するアンテナ切替タイミング検出用信号、テスト１信号、テスト２信号及びペイロード信号のうち、アンテナ切替タイミング検出用信号は、他の信号と比較して、低い伝送速度で送信される。いずれかのアンテナを介して受信した信号は、１ビット又はシンボルずつずらしながら相関値算出部１５によって記憶されているレファレンス信号と比較され、一致度を順次数値化することにより相関値が算出される。一致度が所定の閾値以上となれば、アンテナ切替タイミング検出用信号を検出したと判断し（＃１２においてＹＥＳ）、アンテナ切替判断部１４が、アンテナＡの受信レベルを検出する（＃４）。以下の処理は、図３と同様であるため、説明を省略する。
【００３３】
このアンテナ切替受信システム１０によれば、アンテナ切り替えのタイミング検出は、相関値検出により行うので、アンテナ切替タイミング検出用信号とノイズとをより明確に区別することができ、ノイズに対する耐性を強化することが可能となる。また、隣接して使用されている別システム又は同一システム内の他の機器から送信された信号等の妨害波に対する耐性を強化することができる。また、アンテナ切り替えを実施したい箇所にアンテナ切替タイミング検出用信号の信号列を挿入するだけでアンテナ切り替えの判断を随時行うことができるので、フレーム構成の自由度を高めることができる。
【００３４】
また、ペイロード信号と比較して低い伝送速度で送信されたアンテナ切替タイミング検出用信号を受信するので、マルチパスによる符号間干渉の影響が回避されるとともに、１ビットあたりの信号のエネルギーが大きくなり高感度となる。そのため、マルチパスフェージング等の通信環境の劣化に起因する受信レベル劣化の影響を受けたアンテナが選択されている場合であっても、もれなくアンテナ切替タイミング検出用信号を検出できるようになる。従って、それぞれのアンテナでテスト信号からより正確に受信レベルを検出して、ペイロード信号を受信するアンテナの選択を適格に行えるようになる。例えば、当初選択されたアンテナがマルチパスフェージングに起因するレベル劣化の影響を受けていても、上記影響がより少ないアンテナでペイロードを受信できる。これにより、マルチパスフェージングに起因するレベル劣化の影響による受信エラーを回避することができる。
【００３５】
（変形例）
図７は上記第１実施形態のアンテナ切替受信システム１０のさらに別な変形例の概略構成を示している。このアンテナ切替受信システム１０においては、図４のアンテナ切替受信システム１０に自動利得制御部３１、信号処理部３２等を加えて構成されている。自動利得制御部３１は、受信した信号に応じて増幅率を自動的に調整して、信号の受信レベルを最適化する。自動利得制御部３１がレベル調整を行う際の増幅率は、例えば信号処理部３２に入力され、この増幅率に基づいて受信レベルが判断される。
【００３６】
図８は、本変形例のアンテナ切替受信システム１０において、アンテナＡ及びアンテナＢを用いて受信される信号と、この信号を受信したときの上記アンテナ切替受信システム１０の動作を示している。また、図９は、本変形例のアンテナ切替受信システム１０の動作をフローチャートにて示している。本変形例においては、図６に示す＃４に替えて＃４１の処理が、＃６，＃７に替えて＃４２，４３の処理が実行される。
【００３７】
図８に示すように、相関値算出部１５によってアンテナ切替タイミング信号が検出されると、信号処理部３２は、増幅率が安定するまでには相応の期間がかかるため、増幅率検出用のカウントを開始して、増幅率が安定するのを待つ。増幅率検出用のカウント値は、テスト信号１及びテスト信号２の長さに対応して設定されている。増幅率検出用のカウントを終了すると、信号処理部３２は、テスト信号１の受信レベルを検出し、アンテナ切替部１２にアンテナＡからアンテナＢに切り替えさせて、再度増幅率検出用のカウントを開始する。増幅率検出用のカウントを終了すると、信号処理部３２は、テスト信号２の受信レベルを検出し、アンテナ切替判断部１４は、受信レベルの比較を行い、ペイロード信号を受信するアンテナを選択し固定する。
【００３８】
受信レベルを検出・比較にあたっては、図９に示すように、本変形例では自動利得制御部３１の増幅率を用いる。すなわち、相関値算出部１５によってアンテナ切替タイミング検出用信号が検出されると（＃１２においてＹＥＳ）、信号処理部３２がアンテナＡにおける自動利得制御部３１の増幅率を検出する（＃４１）。このとき信号処理部３２は、増幅率検出用のカウント終了時に検出した増幅率からアンテナＡの受信レベルを推認する。ここで得られた増幅率はメモリ等に記憶される。その後、アンテナ切替部１２によってアンテナＢに切り替えられ、＃４１と同様に信号処理部３２が自動利得制御部３１の増幅率からアンテナＢの受信レベルを推認する（＃４２）。そして、アンテナ切替判断部１４は、アンテナＡ及びアンテナＢについて自動利得制御部３１の増幅率から得られた受信レベルを比較する（＃４３）。ここでは、増幅率が低いアンテナの方が、受信レベルが大きいと判断される。以下の処理は、図３と同様であるため、説明を省略する。
【００３９】
このアンテナ切替受信システム１０によれば、自動利得制御部３１の増幅率を用いてアンテナの受信レベルを比較する。これにより、受信レベルの検出にＲＳＳＩ（Received Signal Strength Indication：受信信号強度）回路などの構成が不要となり、システムの簡素化を図ることができる。
【００４０】
なお、受信レベル（増幅率）の比較においては、絶対値の比較に限られることなく、相対値の比較であってもよい。相対値の比較においては、例えば、アンテナＡによって検出された増幅率の値に対して、アンテナをアンテナＢに切り替えた際に、増幅率の値が増加すればアンテナＢの方が受信レベルが小さく、減少すればアンテナＢの方が受信レベルが大きいことになる。
【００４１】
（変形例）
図１０は上記第１実施形態のアンテナ切替受信システム１０のさらに別な変形例の概略構成を示している。このアンテナ切替受信システム１０においては、図７のアンテナ切替受信システム１０に平均値算出部３３等を加えて構成されている。平均値算出部３３は、各アンテナ毎に自動利得制御部３１の増幅率を検出し、その平均値を算出する。信号処理部３２は、平均値算出部３３によって算出された平均値から受信レベルを推認する。
【００４２】
図１１は、本変形例のアンテナ切替受信システム１０において、アンテナＡ及びアンテナＢを用いて受信される信号と、この信号を受信したときの上記アンテナ切替受信システム１０の動作を示している。また、図１２は、本変形例のアンテナ切替受信システム１０の動作をフローチャートにて示している。本変形例においては、図９に示す＃４１に替えて＃４４の処理が、＃４２，＃４３に替えて＃４５，４６の処理が実行される。
【００４３】
本変形例では、図１１，図１２に示すように、受信レベルの比較にあたって、自動利得制御部３１の増幅率の平均値を用いる。すなわち、相関値算出部１５によってアンテナ切替タイミング検出用信号が検出されると（＃１２においてＹＥＳ）、平均値算出部３３がアンテナＡにおける自動利得制御部３１の増幅率の平均値を算出する（＃４４）。このとき平均値算出部３３は、増幅率検出用のカウント終了前数回分の増幅率の平均値を算出し、信号処理部３２は、平均値からアンテナＡの受信レベルを推認する。ここで得られた増幅率の平均値はメモリ等に記憶される。その後、アンテナ切替部１２によってアンテナＢに切り替えられ、＃４４と同様に平均値算出部３３が自動利得制御部３１の増幅率の平均値を算出し、信号処理部３２は、平均値からアンテナＢの受信レベルを推認する（＃４５）。そして、アンテナ切替判断部１４は、アンテナＡ及びアンテナＢについて自動利得制御部３１の増幅率の平均値から得られた受信レベルを比較する（＃４６）。以下の処理は、図３と同様であるため、説明を省略する。
【００４４】
このアンテナ切替受信システム１０によれば、増幅率の平均値を用いて受信レベルを評価することにより、マルチパスフェージングの影響を受けて受信レベルが変動している場合であっても、ペイロード信号を受信するアンテナの選択をより正確に行える。なお、本変形例においても、増幅率の平均値の比較にあたっては、絶対値の比較に限られることなく、相対値の比較であってもよい。
【００４５】
（変形例）
図１３は上記第１実施形態のアンテナ切替受信システム１０のさらに別な変形例の概略構成を示している。このアンテナ切替受信システム１０は、図４のアンテナ切替受信システム１０に自動利得制御部３１、信号処理部３２及び増幅率出力制御部３５を加えて構成されている。増幅率出力制御部３５は、アンテナ切替判断部１４に対する増幅率の値の出力を制御する。
【００４６】
図１４は、本変形例のアンテナ切替受信システム１０において、アンテナＡ及びアンテナＢを用いて受信される信号と、この信号を受信したときの上記アンテナ切替受信システム１０の動作を示している。また、図１５は、本変形例のアンテナ切替受信システム１０の動作をフローチャートにて示している。本変形例においては、図９に示す＃５と＃４２の間に＃４７の処理が実行される。
【００４７】
アンテナ切替受信システムにおいて、物理的にアンテナを切り替えた後、安定して受信できるようになるまで数十ｎ秒〜数百μ秒程度必要とされる。従って、この間の不安定な信号に基づいて調整された利得をアンテナ切替判断部１４に出力すると、受信レベルの判断が適切に行えなくなる虞が生ずる。そこで、本変形例においては、アンテナを切り替えてから所定期間はアンテナ切替判断部１４に増幅率の値を出力しないように、増幅率出力制御部３５が制御を行う。これにより、ペイロード信号を受信するアンテナを選択判断するにあたり、切り替え当初の所定期間の自動利得制御部３１の増幅率は考慮されない。
【００４８】
図１５において、アンテナの切り替え動作は２度行われる。１度目は、＃５においてアンテナＡからアンテナＢに切り替えられる動作であり、増幅率出力制御部３５が増幅率の値をアンテナ切替判断部１４に所定期間出力しないように信号処理部３２を制御する。これにより、所定期間に亘って増幅率の出力が停止される（＃４７）。２度目は、＃９においてアンテナＢからアンテナＡに切り替えられる動作であるが、ここでは各アンテナにおける受信レベルの比較は行わないので、増幅率の出力を停止する必要はない。なお、増幅率出力制御部３５が増幅率の値を出力しないように制御する所定期間は、アンテナ切替部１２のスイッチ切替時間の仕様に依存する。
【００４９】
このアンテナ切替受信システム１０によれば、アンテナ切り替え後所定期間は、アンテナ切替判断部１４に増幅率の値を出力しないので、不安定な信号に基づいて調整された利得がアンテナ切替の判断材料とされることがなくなる。その結果、より高い精度でアンテナの切り替え判断を行うことが可能となる。
【００５０】
（変形例）
図１６は上記第１実施形態のアンテナ切替受信システム１０のさらに別な変形例の概略構成を示している。このアンテナ切替受信システム１０は、図４のアンテナ切替受信システム１０に自動利得制御部３１、信号処理部３２及び自動利得制御オン／オフ部３６を加えて構成されている。自動利得制御オン／オフ部３６は、自動利得制御部３１のオン／オフ動作を制御する。
【００５１】
図１７は、本変形例のアンテナ切替受信システム１０において、アンテナＡ及びアンテナＢを用いて受信される信号と、この信号を受信したときの上記アンテナ切替受信システム１０の動作を示している。また、図１８は、本変形例のアンテナ切替受信システム１０の動作をフローチャートにて示している。本変形例においては、図９に示す＃５と＃４２の間に＃４９の処理が、＃９と＃１０の間に＃５０の処理がそれぞれ実行される。
【００５２】
既に述べたように、アンテナ切替受信システムにおいて、物理的にアンテナを切り替えた後、安定して受信できるようになるまで数十ｎ秒〜数百μ秒程度必要とされる。そこで、本変形例にあっては、アンテナを切り替えてから所定期間は、自動利得制御部３１がレベル調整をしないように、自動利得制御オン／オフ部３６が自動利得制御部３１の動作を停止させる。これにより、ペイロード信号を受信するアンテナを選択判断するにあたり、切り替え当初の所定期間の自動利得制御部３１の増幅率は考慮されない。また、自動利得制御部３１に入力される信号が不安定となることに起因して、増幅率の収束に要する時間が長くなることを防止できる。
【００５３】
図１８において、アンテナの切り替え動作は２度行われる。１度目は、＃５においてアンテナＡからアンテナＢに切り替えられる動作であり、自動利得制御オン／オフ部３６が自動利得制御部３１の動作を所定期間停止させる（＃４９）。２度目は、＃９においてアンテナＢからアンテナＡに切り替えられる動作であり、自動利得制御オン／オフ部３６が自動利得制御部３１の動作を所定期間停止させる（＃５０）。なお、自動利得制御オン／オフ部３６が自動利得制御部３１の動作を停止させる所定期間は、アンテナ切替部１２のスイッチ切替時間の仕様に依存する。
【００５４】
このアンテナ切替受信システム１０によれば、アンテナ切り替え後、所定期間は自動利得制御部３１の動作を停止するので、不安定な受信信号に基づいて利得を調整することが
なくなる。これにより、段落（００４９）に記載した効果に加えて、図１８中＃９から＃１０における利得の調整時間を短縮できる。
【００５５】
（変形例）
上記第１実施形態のアンテナ切替受信システム１０のさらに別な変形例について、以下説明する。本変形例の構成は、図７に示したものと同等であるが、本変形例は、ペイロード信号を受信する際における自動利得制御部３１の増幅率の初期値に関し、特徴を有する。
【００５６】
図１９は上記第１実施形態のアンテナ切替受信システム１０において、アンテナＡ及びアンテナＢを用いて受信される信号と、この信号を受信したときの上記アンテナ切替受信システム１０の動作を示している。また、図２０は、本変形例のアンテナ切替受信システム１０の動作をフローチャートにて示している。本変形例においては、図９に示す＃９と＃１０の間に＃５１の処理が実行される。
【００５７】
図１９において、アンテナＡの方が受信レベルが高く、アンテナＡでペイロード信号を受信する場合、通常であれば最後にテスト信号２を受信したアンテナＢの受信レベルに基づいて自動利得制御部３１の増幅率の初期値が設定されている。そのため、アンテナＡに切り替えた後に再度レベル調整が必要となる。そこで、本変形例においては、アンテナＡの方が受信レベルが高くアンテナＡに切り替えた後は（＃８においてＹＥＳ、＃９）、アンテナＡでテスト信号１を受信したときの増幅率をペイロード信号を受信する際における増幅率の初期値として用いる（＃５１）。なお、ペイロード信号を受信する際に自動利得制御部３１の増幅率を調整しない構成においては、アンテナＡでテスト信号１を受信したときの増幅率がそのまま用いられる。
【００５８】
本変形例によれば、最後にレベルを検出したアンテナ以外のアンテナでペイロード信号を受信する場合、テスト信号を受信する際における自動利得制御部３１の増幅率を、ペイロード信号を受信する際における増幅率の初期値として用いる。これにより、アンテナを切り替えてペイロード信号を受信する際のレベル調整に要する時間を不要とし、ペイロード信号の伝送効率を向上させることができる。
【００５９】
（変形例）
図２１は上記第１実施形態のアンテナ切替受信システム１０のさらに別な変形例の概略構成を示している。このアンテナ切替受信システム１０は、図４のアンテナ切替受信システム１０に自動利得制御部３１、信号処理部３２及び増幅率記憶部３７を加えて構成されている。増幅率記憶部３７は、各アンテナでテスト信号を受信した際における自動利得制御部３１の増幅率を記憶する。
【００６０】
図２２は上記第１実施形態のアンテナ切替受信システム１０において、アンテナＡ及びアンテナＢを用いて受信されるフレームの信号と、この信号を受信したときの上記アンテナ切替受信システム１０の動作を示している。また、図２３は、本変形例のアンテナ切替受信システム１０の動作をフローチャートにて示している。本変形例においては、図９に示す＃１２と＃４１の間に＃５２の処理が、＃５と＃４２の間に＃５３の処理がそれぞれ実行される。
【００６１】
送信システム及び受信システムの位置が固定されている等、通信環境に大きな変動がない場合は、各フレーム間において各アンテナの受信レベルの変動は少ないものと考えられる。そこで、本変形例においては、増幅率記憶部３７に記憶させた各アンテナでの前フレームのテスト信号を受信した際における自動利得制御部３１の増幅率を、現フレームのテスト信号を受信する際における増幅率の初期値として用いる。
【００６２】
すなわち、相関値算出部１５によってアンテナ切替タイミング検出用信号が検出されると（＃１２においてＹＥＳ）、アンテナＡでテスト信号１を受信する際における自動利得制御部３１の増幅率の初期値を設定する（＃５２）。アンテナＡの増幅率の初期値には、増幅率記憶部３７に記憶されているアンテナＡでの前フレームにおける自動利得制御部３１の増幅率が設定される。そして、信号処理部３２がアンテナＡにおける自動利得制御部３１の増幅率を推認し、増幅率記憶部３７に記憶させたアンテナＡの増幅率を更新する（＃４１）。さらに、アンテナＢに切り替えた後（＃５）。アンテナＢの増幅率の初期値を設定する（＃５３）。アンテナＢの増幅率の初期値には、上記と同様に増幅率記憶部３７に記憶されているアンテナＢでの前フレームにおける自動利得制御部３１の増幅率が設定される。そして、信号処理部３２がアンテナＢにおける自動利得制御部３１の増幅率を推認し、増幅率記憶部３７に記憶させたアンテナＢの増幅率を更新する（＃４２）。以下の動作は、図９と同様である。
【００６３】
このアンテナ切替受信システム１０によれば、前フレームのテスト信号で検出した各アンテナの自動利得制御部３１の増幅率を現フレームの増幅率の初期値として設定する。これにより、通信環境に大きな変動がない場合等において、自動利得制御部３１の増幅率を短時間で収束させることが可能となり、残りのテスト信号の受信時間を別の処理に用いることができる。例えば、マルチパスフェージングによる瞬間的な受信レベルの変動によって生じる誤差を抑制するために、受信レベル（増幅率）の平均を算出する等の処理を行うことにより、アンテナ切替判断の精度を高めることができる。この場合にあっては、さらなる精度向上のために、平均を算出するための受信レベルの標本数を増やすことも可能であるし、平均を算出する回数を増やすことも可能である。また、増幅率の標準偏差から受信に最適な増幅率を算出する等の処理を行うことも可能である。
【００６４】
（変形例）
図２４は上記第１実施形態のアンテナ切替受信システム１０のさらに別な変形例の概略構成を示している。このアンテナ切替受信システム１０は、図２１のアンテナ切替受信システム１０の増幅率記憶部３７を増幅率平均記憶部３８に替えて構成されている。増幅率平均記憶部３８は、これまで各アンテナでテスト信号を受信した際における自動利得制御部３１の増幅率の平均値を算出し記憶する。
【００６５】
図２５は上記第１実施形態のアンテナ切替受信システム１０において、アンテナＡ及びアンテナＢを用いて受信されるフレームの信号と、この信号を受信したときの上記アンテナ切替受信システム１０の動作を示している。また、図２６は、本変形例のアンテナ切替受信システム１０の動作をフローチャートにて示している。本変形例においては、図２３に示す＃５２に替えて＃５４の処理が、＃５３に替えて＃５５の処理がそれぞれ実行される。すなわち、本変形例においては、増幅率平均記憶部３８に記憶させた各アンテナでの前フレーム以前のテスト信号を受信した際の増幅率の平均値を、現フレームのテスト信号を受信する際における増幅率の初期値として用いる（＃５４、＃５５）。
【００６６】
このアンテナ切替受信システム１０によれば、前フレーム以前のテスト信号で検出した各アンテナにおける増幅率の平均値を現フレームの増幅率の初期値として設定する。これにより、図２１乃至図２３に示した変形例と同等の効果に加えて、前フレームの受信レベルが偶発的に急激に落ち込んだ場合であっても、短時間で増幅率を収束させることが可能となる。
【００６７】
（変形例）
図２７は上記第１実施形態のアンテナ切替受信システム１０のさらに別な変形例の概略構成を示している。このアンテナ切替受信システム１０は、図２１のアンテナ切替受信システム１０に増幅率変動算出部３９を加えて構成されている。増幅率変動算出部３９は、各アンテナでテスト信号を受信する際における自動利得制御部３１の増幅率の変動の割合を算出する。
【００６８】
図２８は上記第１実施形態のアンテナ切替受信システム１０において、アンテナＡ及びアンテナＢを用いて受信されるフレームの信号と、この信号を受信したときの上記アンテナ切替受信システム１０の動作を示している。また、図２９は、本変形例のアンテナ切替受信システム１０の動作をフローチャートにて示している。本変形例においては、図２３に示す＃１２と＃５２の間に＃５６、＃５７の処理が、＃５と＃４２の間に＃５８の処理等がそれぞれ実行される。
【００６９】
送信システム及び受信システムの位置が固定されている等通信環境に大きな変動がない場合は、各フレーム間において各アンテナの受信レベルの変動は少なく、これに伴い自動利得制御部３１の増幅率の変動も少ないものと考えられる。そこで、本変形例においては、増幅率の変動の割合が所定の閾値未満のとき、通信環境に大きな変動がないと判断する。そして、新たに各アンテナでテスト信号を受信する際における自動利得制御部３１の増幅率の初期値として、増幅率記憶部３７に前回記憶された増幅率を用いる。一方、増幅率の変動の割合が所定の閾値以上のときは、送信システム又は受信システムのいずれかが移動している等の原因が考えられ、前回の増幅率をそのまま使用してもメリットが無く、逆に収束が遅くなってしまう可能性がある。そこで、このような場合は、新たに各アンテナでテスト信号を受信する際における自動利得制御部３１の増幅率の初期値として、事前に設定された所定の値を用いる。例えば、自動利得制御部３１の仕様において増幅率の制御可能な範囲の中央値が用いられる。これにより、短時間で増幅率を収束させ易くなる。なお、上記増幅率の変動の割合とは、例えば、前フレームにおいて検出された増幅率に対する現フレームにおいて検出された増幅率の変化の割合をいう。
【００７０】
図２９において、相関値算出部１５によってアンテナ切替タイミング検出用信号が検出されると（＃１２においてＹＥＳ）、増幅率変動算出部３９は、各アンテナでテスト信号を受信する際における自動利得制御部３１の増幅率の変動の割合を算出する。そして、アンテナＡの増幅率の変動が閾値未満である場合は（＃５６においてＹＥＳ）、アンテナＡでテスト信号１を受信する際における自動利得制御部３１の増幅率の初期値として、増幅率記憶部３７に前回記憶された増幅率を設定する（＃５２）。一方、増幅率の変動の割合が閾値以上の場合は（＃５６においてＮＯ）、増幅率の初期値として、所定の値を用いる（＃５７）。その後、アンテナＢに切り替えた後（＃５）、アンテナＢでテスト信号２を受信する際における自動利得制御部３１の増幅率の初期値を設定する。ここでは、アンテナＡと同様にアンテナＢの増幅率の変動の割合が閾値未満である場合は（＃５８においてＹＥＳ）、自動利得制御部３１の増幅率の初期値として、増幅率記憶部３７に前回記憶された増幅率を設定する（＃５９）。一方、増幅率の変動の割合が閾値以上の場合は（＃５８においてＮＯ）、増幅率の初期値として、所定の値を用いる（＃６０）。以下の動作は、図２３と同様である。なお、＃５２、＃５９において、図２４に示した増幅率平均記憶部３８に前回記憶された増幅率の平均値を設定するように構成されていてもよい。
【００７１】
このアンテナ切替受信システム１０によれば、各アンテナにおけるフレーム毎の増幅率の変動の割合が閾値未満である場合は、前フレームで検出した各アンテナの増幅率の値を現フレームの増幅率の初期値とする。一方、変動の割合が閾値以上である場合は、事前に決めた値を増幅率の初期値とする。これにより、増幅率の変動の割合を監視することにより、送信システム又は受信システムの移動等の判断が可能となる。従って、通信環境の変動に応じて、適切な増幅率の初期値で自動利得制御を行うことができるようになり、アンテナ切替判断の精度をより一層高めることが可能となる。
【００７２】
なお、本発明は上記実施形態の構成に限られることなく、少なくともペイロード信号を受信する前に、複数のアンテナでテスト信号を受信して、その受信レベルに基づいてペイロード信号を受信するアンテナを選択するように構成されていればよい。また、上述した各実施形態の特徴を適宜組み合わせたアンテナ切替受信システムであってもよい。
【符号の説明】
【００７３】
１０    アンテナ切替受信システム
１１    アンテナ部
１２    アンテナ切替部
１３    アンテナ切替タイミング検出部
１４    アンテナ切替判断部
３１    自動利得制御部
３３    平均値算出部
３７    増幅率記憶部
３８    増幅率平均記憶部
３９    増幅率変動算出部
【図１】
0005747173.tif 000002
【図２】
0005747173.tif 000003
【図３】
0005747173.tif 000004
【図４】
0005747173.tif 000005
【図５】
0005747173.tif 000006
【図６】
0005747173.tif 000007
【図７】
0005747173.tif 000008
【図８】
0005747173.tif 000009
【図９】
0005747173.tif 000010
【図１０】
0005747173.tif 000011
【図１１】
0005747173.tif 000012
【図１２】
0005747173.tif 000013
【図１３】
0005747173.tif 000014
【図１４】
0005747173.tif 000015
【図１５】
0005747173.tif 000016
【図１６】
0005747173.tif 000017
【図１７】
0005747173.tif 000018
【図１８】
0005747173.tif 000019
【図１９】
0005747173.tif 000020
【図２０】
0005747173.tif 000021
【図２１】
0005747173.tif 000022
【図２２】
0005747173.tif 000023
【図２３】
0005747173.tif 000024
【図２４】
0005747173.tif 000025
【図２５】
0005747173.tif 000026
【図２６】
0005747173.tif 000027
【図２７】
0005747173.tif 000028
【図２８】
0005747173.tif 000029
【図２９】
0005747173.tif 000030